(57)【要約】【課題】設置場所を確保しやすい消毒乾燥装置を得る。【解決手段】温風送風機１を箱状の温風用筐体８内に収納し、温風用筐体８の背面に取付面を設けると共に、温風用筐体８に下方に向かって送風口２０を形成する。また、縦長の縦筐体部３２と縦筐体部３２の下側から水平に延出された水平筐体部３４とを備えた消毒用筐体３０を温風用筐体８と別体に設ける。縦筐体部３２と水平筐体部３４とに跨って受け皿３６を配置すると共、受け皿３６の上側の縦筐体部３２にノズル４０を配置する。縦筐体部３２にタンク４２を配置すると共に、水平筐体部３４にポンプ４６を配置した。更に、手指の近接を検出する近接検出センサ２２を温風用筐体８に設け、また、温風用筐体８に近接検出センサ２２による検出に基づいて、温風送風機１の駆動とポンプ４６の駆動とを制御する制御回路２４を設けた。【選択図】  図１
2011245109.tif 000002
【特許請求の範囲】
【請求項１】
タンクに貯蔵した消毒液をポンプによりノズルから噴射すると共に、温風送風機からの温風を送風口から送風する消毒乾燥装置において、
前記温風送風機は箱状の温風用筐体内に収納され、前記温風用筐体の背面に取付面を設けると共に、前記温風用筐体に下方に向かって前記送風口を形成し、
また、縦長の縦筐体部と該縦筐体部の下側から水平に延出された水平筐体部とを備えた消毒用筐体を前記温風用筐体と別体に設け、前記縦筐体部と前記水平筐体部とに跨って受け皿を配置すると共、前記受け皿の上側の前記縦筐体部に前記ノズルを配置し、
かつ、前記縦筐体部に前記タンクを配置すると共に、前記水平筐体部に前記ポンプを配置したことを特徴とする消毒乾燥装置。
【請求項２】
手指の近接を検出する近接検出センサを前記温風用筐体に設け、また、前記温風用筐体に前記近接検出センサによる検出に基づいて、前記温風送風機の駆動と前記ポンプの駆動とを制御する制御回路を設けたことを特徴とする請求項１に記載の消毒乾燥装置。
【請求項３】
前記消毒液は非アルコール系で、
前記制御回路は、前記近接検出センサが手指の近接を検出したときに、前記ポンプを駆動して前記ノズルから前記消毒液を噴射した後、前記温風送風機を駆動して前記送風口から温風を送風することを特徴とする請求項２に記載の消毒乾燥装置。
【請求項４】
前記消毒液は非アルコール系で、
前記制御回路は、前記近接検出センサが手指の近接を検出したときに、前記温風送風機を駆動して前記送風口から温風を送風した後に、前記ポンプを駆動して前記ノズルから前記消毒液を噴射し、続いて、前記温風送風機を駆動して前記送風口から温風を送風することを特徴とする請求項２に記載の消毒乾燥装置。
【請求項５】
前記制御回路は、予め設定された噴射時間に応じて前記ポンプを駆動し、また、予め設定された乾燥時間に応じて前記温風送風機を駆動することを特徴とする請求項２ないし請求項４のいずれかに記載の消毒乾燥装置。
【発明の詳細な説明】
【技術分野】
【０００１】
本発明は、手指に向けて消毒液を噴射すると共に、温風を送風して乾燥させる消毒乾燥装置に関する。
【背景技術】
【０００２】
従来より、特許文献１にあるように、消毒液を貯蔵するタンク、消毒液を噴射するポンプ、温風を送風する温風送風機等を一体の筐体内に配置して、設置場所を十分に確保できない洗面所等にでも設置できるようにした消毒乾燥装置が提案されている。
【先行技術文献】
【特許文献】
【０００３】
【特許文献１】特開平１１−１７８７４３号公報
【発明の概要】
【発明が解決しようとする課題】
【０００４】
しかしながら、こうした従来のものでも、洗面所等では設置場所が限られるので、特に、既設の厨房の手洗い場所に後から消毒乾燥装置を設置しようとすると設置場所の大きさが限られ、筐体内にこれら全てを配置した消毒乾燥装置であっても、設置スペースの関係から設置できない場合があるという問題があった。
【０００５】
本発明の課題は、設置場所を確保しやすい消毒乾燥装置を提供することにある。
【課題を解決するための手段】
【０００６】
かかる課題を達成すべく、本発明は課題を解決するため次の手段を取った。即ち、
タンクに貯蔵した消毒液をポンプによりノズルから噴射すると共に、温風送風機からの温風を送風口から送風する消毒乾燥装置において、
前記温風送風機は箱状の温風用筐体内に収納され、前記温風用筐体の背面に取付面を設けると共に、前記温風用筐体に下方に向かって前記送風口を形成し、
また、縦長の縦筐体部と該縦筐体部の下側から水平に延出された水平筐体部とを備えた消毒用筐体を前記温風用筐体と別体に設け、前記縦筐体部と前記水平筐体部とに跨って受け皿を配置すると共、前記受け皿の上側の前記縦筐体部に前記ノズルを配置し、
かつ、前記縦筐体部に前記タンクを配置すると共に、前記水平筐体部に前記ポンプを配置したことを特徴とする消毒乾燥装置がそれである。
【０００７】
手指の近接を検出する近接検出センサを前記温風用筐体に設け、また、前記温風用筐体に前記近接検出センサによる検出に基づいて、前記温風送風機の駆動と前記ポンプの駆動とを制御する制御回路を設けた構成としてもよい。更に、前記消毒液は非アルコール系で、前記制御回路は、前記近接検出センサが手指の近接を検出したときに、前記ポンプを駆動して前記ノズルから前記消毒液を噴射した後、前記温風送風機を駆動して前記送風口から温風を送風する構成としてもよい。あるいは、前記消毒液は非アルコール系で、前記制御回路は、前記近接検出センサが手指の近接を検出したときに、前記温風送風機を駆動して前記送風口から温風を送風した後に、前記ポンプを駆動して前記ノズルから前記消毒液を噴射し、続いて、前記温風送風機を駆動して前記送風口から温風を送風する構成としてもよい。また、前記制御回路は、予め設定された噴射時間に応じて前記ポンプを駆動し、また、予め設定された乾燥時間に応じて前記温風送風機を駆動する構成としてもよい。
【発明の効果】
【０００８】
本発明の消毒乾燥装置は、温風用筐体と消毒用筐体とが別体で形成されているので、縦長のスペースであっても、横長のスペースであっても容易に設置場所を確保できるという効果を奏する。
【０００９】
また、温風用筐体に近接検出センサと制御回路とを設け、噴射時間や乾燥時間に応じて駆動することにより、使い勝手がよい。
【図面の簡単な説明】
【００１０】
【図１】本発明の一実施形態としての消毒乾燥装置の両筐体を縦に配置した中央縦断面図である。
【図２】本実施形態の消毒乾燥装置の両筐体を縦に配置した正面図である。
【図３】本実施形態の消毒乾燥装置の両筐体を横に配置した正面図である。
【図４】本実施形態の消毒乾燥装置の電気系統のブロック図である。
【発明を実施するための形態】
【００１１】
以下本発明を実施するための形態を図面に基づいて詳細に説明する。
図１，２に示すように、１は温風送風機で、温風送風機１は送風用モータ３（図４参照）により回転駆動されるファン２と、ヒータ４とを備え、ファン２の外側はケース部５により覆われると共に、ヒータ４はケース部５に接続されたノズル部６内に収納されている。ノズル部６は円筒状で、一端は開口されている。
【００１２】
温風送風機１は温風用筐体８内に収納されており、温風用筐体８は直方体状で、幅が狭く縦長に形成されている。温風用筐体８は温風送風機１が取り付けられた側板部材１０と、温風送風機１を覆い側板部材１０に取り付けられた蓋部材１２とを備えている。
【００１３】
側板部材１０には、その背面に取付面１０ａが形成されており、ビス１４により壁面等に取り付けられた取付金具１６に取付面１０ａを係合させて、取付金具１６を介して温風用筐体８を洗面所や厨房の壁面等に固定できるように構成されている。
【００１４】
温風用筐体８の下側には、ノズル部材１８が取り付けられており、ノズル部材１８には下方に向かって開口した送風口２０が形成されている。温風送風機１のノズル部６が送風口２０に対向して開口されている。
【００１５】
また、温風用筐体８の下側には、光電センサや超音波センサ等を用いた近接検出センサ２２が設けられており、近接検出センサ２２は送風口２０の下方に利用者の手指が差し込まれ、手指の近接を検出した際に検出信号を出力する。
【００１６】
温風送風機１や近接検出センサ２２は温風用筐体８内に収納された制御回路２４に接続されており、制御回路２４には脱落検出センサ２６が接続されている。脱落検出センサ２６は温風用筐体８が取付金具１６から脱落した際に脱落信号を出力し、制御回路２４は温風送風機１の駆動を停止するように構成されている。
【００１７】
温風用筐体８とは別体で消毒用筐体３０が設けられており、消毒用筐体３０は縦長の縦筐体部３２と縦筐体部３２の下側から水平に延出された水平筐体部３４とを備えている。縦筐体部３２の背面には取付面３２ａが設けられており、取付面３２ａを洗面所や厨房の壁面等に接触させて、ビス３６により消毒用筐体３０を固定できるように構成されている。
【００１８】
水平筐体部３４は縦筐体部３２の下側から水平に、送風口２０の下側に延出されて、消毒用筐体３０がほぼＬ字状に形成されている。縦筐体部３２と水平筐体部３４との幅は温風用筐体８の幅と同程度となるように形成されている。
【００１９】
縦筐体部３２と水平筐体部３４とに跨って受け皿３６が配置されており、受け皿３６は縦筐体部３２にビス３８により着脱可能に固定されている。受け皿３６よりも上側の縦筐体部３２にはノズル４０が取り付けられており、ノズル４０は受け皿３６に向かって消毒液を噴射するように配置されている。
【００２０】
また、縦筐体部３２には、受け皿３６の背面側にタンク４２が配置されており、タンク４２は直方体状で、非アルコール系の消毒液、例えば次亜塩素酸ナトリウム等の消毒液が貯蔵されている。タンク４２は、縦筐体部３２に沿って吐出部４２ａを下方にして立設されている。
【００２１】
水平筐体部３４は箱状に形成されており、水平筐体部３４には、ポンプ用モータ４４により駆動されるポンプ４６が配置されて、ポンプ用モータ４４とポンプ４６とは、その長手方向を水平にして水平筐体部３４内に収納されている。
【００２２】
ポンプ４６はタンク４２の吐出部４２ａから吐出された消毒液を吸引して、ホース４８を介してノズル４０に供給し、ノズル４０から消毒液を噴射するように構成されている。ポンプ用モータ４４は制御回路２４とリード線５０を介して接続されており、リード線５０は縦筐体部３２に沿って上方に引き出されると共に、一旦、消毒用筐体３０の外部に引き出されてから、温風用筐体８内に引き込まれている。
【００２３】
図４に示すように、本実施形態では、噴射時間設定器５２、乾燥時間設定器５４、プログラム設定器５６が設けられており、制御回路２４は噴射時間設定器５２に予め設定された噴射時間に応じてポンプ用モータ４４を駆動して消毒液を噴射させる。また、制御回路２４は乾燥時間設定器５４に予め設定された乾燥時間に応じて送風用モータ３とヒータ４とを駆動して温風を送風させる。
【００２４】
更に、制御回路２４はプログラム設定器５６に設定された順に、例えば、「噴射」の後に「乾燥」する順番で設定されているときには、噴射時間に応じてポンプ用モータ４４を駆動して消毒液を噴射した後に、乾燥時間に応じて送風用モータ３とヒータ４とを駆動して温風を送風させる。
【００２５】
「乾燥」の後に「噴射」を行い、更に「乾燥」を行う順番で設定されているときには、乾燥時間に応じて送風用モータ３とヒータ４とを駆動して温風を送風させた後に、噴射時間に応じてポンプ用モータ４４を駆動して消毒液を噴射し、再び、乾燥時間に応じて送風用モータ３とヒータ４とを駆動して温風を送風させる。
【００２６】
次に、前述した本実施形態の消毒乾燥装置の作動について説明する。
既設の洗面所や厨房等に、消毒乾燥装置を設置する場合、設置場所を十分に確保することが難しい場合が多い。既設の厨房では、例えば、器具と器具との間の縦長の空きスペースを確保することしかできない場合がある。設置場所として狭い縦長のスペースしか確保できない場合、図２に示すように、まず、消毒用筐体３０を設置場所の壁にビス３６により取り付ける。次に、消毒用筐体３０の上側に取付金具１６を設置場所の壁にビス１４により取り付けて、取付金具１６に温風用筐体８を取り付ける。
【００２７】
また、設置場所のスペースに高さが十分に確保できず、横に広い壁面を確保できる場合、図３に示すように、消毒用筐体３０を設置場所の壁にビス３６により取り付け、その横に取付金具１６を取り付けて、取付金具１６に温風用筐体８を取り付ける。
【００２８】
このように、温風用筐体８と消毒用筐体３０とが別体で形成されているので、縦長のスペースであっても、横長のスペースであっても容易に設置することができ、既設の洗面所や厨房等に後から設置する場合でも、容易に設置場所を確保できる。
【００２９】
また、設置する際、温風用筐体８と消毒用筐体３０とを別々に壁面に取り付けることができるので、それぞれの温風用筐体８と消毒用筐体３０とに重量が分散され、また、大きさも分けられるので、取付作業が容易になる。更に、取付金具１６を用いることにより、より取付作業が容易になる。
【００３０】
設置した後、プログラム設定器５６に「噴射」の後に「乾燥」する設定がされているときには、手指を近接検出センサ２２の下側に差し入れると、近接検出センサ２２が手指を検出し、制御回路２４が予め設定された噴射時間に応じてポンプ用モータ４４を駆動する。ポンプ４６が駆動されると、タンク４２からの消毒液を吸引して、ホース４８を介してノズル４０から消毒液を噴射する。
【００３１】
消毒液を噴射時間に応じて噴射した後、制御回路２４は予め設定された乾燥時間に応じて送風用モータ３とヒータ４とを駆動する。これにより、温風が送風口２０から送風され、送風口２０にかざされた手指を乾燥させる。消毒液が非アルコール系であるので、乾燥させなければ消毒液が蒸発しないので、消毒液を噴射した後、温風を送風する。利用者が料理人、特に寿司職人であるような場合、手指に消毒液が残ると料理品に消毒液が付着して、味を損なう場合がある。消毒液を噴射した後、温風を送風して、消毒液を確実に蒸発させることができる。
【００３２】
また、プログラム設定器５６に「乾燥」の後に「噴射」を行い、更に「乾燥」を行う設定がされているときには、水で手洗いした後に、手指を近接検出センサ２２の下側に差し入れると、予め設定された乾燥時間に応じて温風が送風され、送風口２０にかざされた手指を乾燥させる。次に、予め設定された噴射時間に応じてノズル４０から消毒液を噴射する。続いて、予め設定された乾燥時間に応じて温風を送風し、手指を乾燥させる。
【００３３】
以上本発明はこの様な実施形態に何等限定されるものではなく、本発明の要旨を逸脱しない範囲において種々なる態様で実施し得る。
【符号の説明】
【００３４】
１…温風送風機    ２…ファン
３…送風用モータ  ４…ヒータ
８…温風用筐体    １６…取付金具
２０…送風口      ２２…近接検出センサ
２４…制御回路    ３０…消毒用筐体
３２…縦筐体部    ３４…水平筐体部
３６…受け皿      ４０…ノズル
４２…タンク      ４４…ポンプ用モータ
４６…ポンプ      ４８…ホース
５０…リード線    ５２…噴射時間設定器
５４…乾燥時間設定器    ５６…プログラム設定器
【図１】
2011245109.tif 000003
【図２】
2011245109.tif 000004
【図３】
2011245109.tif 000005
【図４】
2011245109.tif 000006